(57)【要約】【課題】殺菌処理を施す前の汚泥中の還元性物質の量をあらかじめ低減することにより、添加する酸化剤をより効率的に殺菌処理に用いることができる汚泥の処理方法を提供すること。【解決手段】余剰汚泥に酸化剤を添加することにより殺菌処理し、この殺菌処理した処理汚泥を生物反応槽に返送して生物分解する汚泥の処理方法において、余剰汚泥を殺菌処理する前に曝気するようにする。【選択図】図１
2007203234.tif 000002
【特許請求の範囲】
【請求項１】
余剰汚泥に酸化剤を添加することにより殺菌処理し、この殺菌処理した処理汚泥を生物反応槽に返送して生物分解する汚泥の処理方法において、余剰汚泥を殺菌処理する前に曝気することを特徴とする汚泥の処理方法。
【請求項２】
余剰汚泥を曝気するに際し、該余剰汚泥の酸化還元電位を連続的に測定し、該測定値に基づいて曝気運転を制御することを特徴とする請求項１記載の汚泥の処理方法。
【発明の詳細な説明】
【技術分野】
【０００１】
本発明は、廃水を生物学的に処理することによって発生する余剰汚泥に対し、酸化剤を用いることで殺菌した後に水処理系に返流することにより、該系内の活性汚泥微生物によって生物学的に分解・処理する汚泥の処理方法に関するものである。
【背景技術】
【０００２】
近年、廃水処理施設において発生する余剰汚泥に対して、物理学的、化学的あるいは生物学的な１以上の手段を用いることにより、該汚泥中の微生物を殺菌処理し、再び水処理系に返流することにより、水処理系内の活性汚泥微生物に分解・処理させる汚泥減量化技術が開発されている。
このうち、化学的な手段のひとつとして、次亜塩素酸溶液などの塩素系の酸化剤を用いる方法がある。塩素系の殺菌剤の場合、汚泥微生物の酵素活性を阻害することが知られており、酵素活性を失した汚泥微生物は水処理系に返流されると、周りの健全な活性汚泥汚泥微生物が分泌する分解酵素などにより分解される。これにより、最終的に水処理系から排出される汚泥の量を削減することが可能となる。
【０００３】
ところで、余剰汚泥に関しては、一般的に重力濃縮槽において一定時間滞留することにより濃縮される。この間、汚泥は嫌気性条件下に置かれるため、該汚泥中に還元性物質が蓄積される。
このような汚泥に対して酸化剤を添加すると、添加された酸化剤は、汚泥微生物の殺菌に用いられるばかりでなく、還元性物質とも反応するため、添加された酸化剤が効率よく殺菌処理に用いらず、十分な殺菌処理ができないという問題がある。
この問題を解消するために、添加する酸化剤の量を増やすことも可能であるが、特に塩素系酸化剤を用いる場合、反応生成物である塩化物イオンの処理汚泥中の濃度が高くなり、後段に悪影響を与える恐れがあるなどの新たな問題が発生する。
【発明の開示】
【発明が解決しようとする課題】
【０００４】
本発明は、上記従来の汚泥の処理方法が有する問題点に鑑み、殺菌処理を施す前の汚泥中の還元性物質の量をあらかじめ低減することにより、添加する酸化剤をより効率的に殺菌処理に用いることができる汚泥の処理方法を提供することを目的とする。
【課題を解決するための手段】
【０００５】
上記目的を達するため、本発明の汚泥の処理方法は、余剰汚泥に酸化剤を添加することにより殺菌処理し、この殺菌処理した処理汚泥を生物反応槽に返送して生物分解する汚泥の処理方法において、余剰汚泥を殺菌処理する前に曝気することを特徴とする。
【０００６】
この場合において、余剰汚泥を曝気するに際し、該余剰汚泥の酸化還元電位を連続的に測定し、該測定値に基づいて曝気運転を制御することができる。
【発明の効果】
【０００７】
本発明の汚泥の処理方法によれば、余剰汚泥に酸化剤を添加することにより殺菌処理し、この殺菌処理した処理汚泥を生物反応槽に返送して生物分解する汚泥の処理方法において、余剰汚泥を殺菌処理する前に曝気することから、汚泥中に蓄積した還元性物質を曝気エア中の酸素によって酸化することができ、これにより、殺菌処理を施す前の汚泥中の還元性物質の量をあらかじめ低減し、添加する酸化剤を効率よく汚泥微生物の殺菌処理に利用することができる。
【０００８】
この場合、余剰汚泥を曝気するに際し、該余剰汚泥の酸化還元電位を連続的に測定し、該測定値に基づいて曝気運転を制御することにより、還元性物質の増減を的確に把握することができ、これにより、曝気運転を適切に制御することができる。
【発明を実施するための最良の形態】
【０００９】
以下、本発明の汚泥の処理方法の実施の形態を、図面に基づいて説明する。
本発明の汚泥の処理方法では、廃水処理施設に流入した有機性廃水を生物学的に処理することによって発生する余剰汚泥に対し、酸化剤を用いて殺菌処理した後、再び水処理系に返流することで、該系に保持された活性汚泥微生物によって分解・処理させる汚泥の減量化システムにおいて、殺菌処理する前の汚泥に対して曝気を施し、もって該汚泥中の還元性物質を減少させる。
【００１０】
すなわち、水処理系において発生した余剰汚泥は、殺菌処理する前に濃縮されるが、一般的にその方法は、濃縮槽において一定時間静置させることにより重力濃縮させるものである。この間、汚泥微生物は汚泥中の酸素を利用し尽くすため、該汚泥は嫌気性条件に置かれ、還元性物質が蓄積していく。
そこで、濃縮槽から引き抜いた汚泥に対して曝気を施すことにより、該汚泥中に蓄積した還元性物質が、曝気エア中の酸素によって酸化される。これにより、その後に添加する酸化剤は、そのほとんどが汚泥微生物の殺菌処理に用いられることとなり、酸化剤の効率的な利用が可能となる。
【００１１】
なお、本発明による汚泥の処理方法では、酸化剤として次亜塩素酸溶液などの塩素系酸化剤を用いる場合にもっとも適しているが、オゾンや過酸化水素といったその他の酸化剤を用いる場合にも適用可能である。
また、濃縮した汚泥に対して曝気を施すのにあたり、効率的な曝気が必要となるが、その際、該汚泥中の酸化還元電位を連続的に測定することで還元性物質の増減を的確に把握し、もって曝気運転を適切に制御することができる。
【実施例１】
【００１２】
図１に、本発明の汚泥の処理方法の一実施例を示す。
水処理系において発生した余剰汚泥Ａは、重力濃縮槽１において重力濃縮されるが、上澄みについては分離水Ｂとして越流し、水処理系に戻され処理される。
一方、沈殿した固形物は濃縮汚泥Ｃとして引き抜かれ、前処理槽２に流入する。前処理槽２には酸化還元電位計３が設置されており、該槽内の汚泥の酸化還元電位が測定される。
【００１３】
濃縮汚泥Ｃは、長時間にわたって重力濃縮槽１に滞留していたため嫌気状態にあり、還元性物質が蓄積している。このため、前処理槽２に流入した時点では濃縮汚泥Ｃの酸化還元電位はマイナスの状態となっている。
このため、前処理槽２では、曝気ブロア４によって曝気エアＤが散気装置５を通じて吹き込まれる。曝気エアＤに含まれる酸素は、濃縮汚泥Ｃ中の還元性物質を酸化するため、前処理槽２内の酸化還元電位は次第にマイナスからプラスへ遷移する。
【００１４】
前処理槽２において還元性物質が酸化された汚泥は、前処理汚泥Ｅとして流出し、次いで汚泥処理槽６に流入する。
汚泥処理槽６では酸化剤Ｆが添加され、前処理汚泥Ｅと一定時間混合・攪拌されることにより、該汚泥中の汚泥微生物が殺菌処理される。特に、塩素系の酸化剤を用いた場合、汚泥微生物の酵素活性が阻害され、もって該微生物は生物としての活性を失することになる。
殺菌処理された汚泥は、処理汚泥Ｇとして引き抜かれ、再び水処理系に返流されるが、前述のように活性を失しているため、水処理系内の活性汚泥微生物が分泌する分解酵素によって分解される。
【００１５】
次に、曝気ブロア４の運転方法の一例について、図２を参照して説明する。
前述のように、濃縮汚泥Ｃの酸化還元電位はマイナスとなっている。
そこで、曝気ブロア４を運転させ、曝気エアＤを供給することで、濃縮汚泥Ｃ中の還元性物質を酸化し、前処理槽２内の酸化還元電位がプラスとなるようにする。
【００１６】
曝気を続けて酸化還元電位がＶ１となれば、曝気ブロア４の運転を停止するが、しばらくは残存する酸素など酸化性物質の影響により酸化還元電位は上昇する。
しかし、酸化還元電位がマイナスである濃縮汚泥Ｃが連続的に前処理槽２に流入してくることにより、該前処理槽２の酸化還元電位は減少し始める。
その後、酸化還元電位がＶ２にまで減少すると、再び曝気ブロア４を運転させて曝気エアＤを供給し、もって酸化還元電位を上昇させる。
このように、曝気ブロア４の運転は、前処理槽２内の酸化還元電位によって制御するが、そのために、該前処理槽２に酸化還元電位計３を設置するようにしている。
【００１７】
以上、本発明の汚泥の処理方法について、その実施例に基づいて説明したが、本発明は上記実施例に記載した構成に限定されるものではなく、実施例に記載した構成を適宜組み合わせるなど、その趣旨を逸脱しない範囲において適宜その構成を変更することができる。
【産業上の利用可能性】
【００１８】
本発明の汚泥の処理方法は、殺菌処理を施す前の汚泥中の還元性物質の量をあらかじめ低減することにより、添加する酸化剤をより効率的に殺菌処理に用いることができるという特性を有していることから、例えば、酸化剤により汚泥を殺菌及び可溶化する廃水処理施設の汚泥処理の用途に好適に用いることができる。
【図面の簡単な説明】
【００１９】
【図１】本発明の汚泥の処理方法の一実施例を示す説明図である。
【図２】酸化還元電位に基づいた汚泥の曝気処理運転の一例を示すグラフである。
【符号の説明】
【００２０】
１    重力濃縮槽
２    前処理槽
３    酸化還元電位計
４    曝気ブロア
５    散気装置
６    汚泥処理槽
Ａ    余剰汚泥
Ｂ    分離水
Ｃ    濃縮汚泥
Ｄ    曝気エア
Ｅ    前処理汚泥
Ｆ    酸化剤
Ｇ    処理汚泥
【図１】
2007203234.tif 000003
【図２】
2007203234.tif 000004